(57)【特許請求の範囲】
【請求項１】
剛性を有する複数の細棒（１ａ）が所定の間隔で固定され、就寝者が横臥したときに十分に支えることが可能な簾状に形成された簾シート（１）と、空気を注入すると膨らむ２つのエアセル（３）と、前記２つのエアセルに空気を注入するポンプ制御部（１５）からなり、
前記２つのエアセルを前記簾シートの裏面の長手方向の両端付近に平行に、かつ、就寝者に対する脚上げおよび背上げを行うための領域に配置して空気を注入して膨らませ、前記平行に配置された２つのエアセルの前記領域が左右同じ高さに持ち上がるように構成され、
前記２つのエアセルの幅はエアセルの容積を少なくするために前記２つのエアセル間に空間を設け、それぞれ前記簾シートの幅の数分の１程度に形成したことを特徴とする褥瘡予防装置。
【請求項２】
剛性を有する複数の細棒（１ａ）が所定の間隔で固定され、就寝者が横臥したときに十分に支えることが可能な簾状に形成された簾シート（１）と、空気を注入すると膨らむ２つのエアセル（３）と、前記２つのエアセルに空気を注入するポンプ制御部（１５）からなり、
前記２つのエアセルを前記簾シートの裏面の長手方向の両端付近に平行に、かつ、就寝者を椅子に座った姿勢とするための領域に配置して空気を注入して膨らませ、前記平行に配置された２つのエアセルの前記領域が左右同じ高さに持ち上がるように構成され、
前記２つのエアセルの幅はエアセルの容積を少なくするために前記２つのエアセル間に空間を設け、それぞれ前記簾シートの幅の数分の１程度に形成したことを特徴とする褥瘡予防装置。
【請求項３】
剛性を有する複数の細棒（１ａ）が所定の間隔で固定され、就寝者が横臥したときに十分に支えることが可能な簾状に形成された簾シート（１）と、長さが前記簾シートの長手方向の長さとほぼ同じに形成され、空気を注入すると長手方向の断面が多数の半円状となるように膨らむ２系列のエアセル（３）と、
前記２系列のエアセルに空気を注入するポンプ制御部（１５）からなり、
前記２系列のエアセルを前記簾シートの裏面の長手方向の両端付近に平行にかつ、エアセルの幅分ずらして配置し、隣合う前記複数の細棒が前記半円状の円弧に沿って左右同じ高さに交互に上下するように空気を注入して膨らませ、前記エアセルの幅はエアセルの容積を少なくするために２つのエアセル間に空間を設け、それぞれ前記簾シートの幅の数分の１程度に形成したことを特徴とする褥瘡予防装置。
【請求項４】
前記簾シート上にクッション材（２）を配置したことを特徴とする請求項１乃至３のいずれかに記載の褥瘡予防装置。
【請求項５】
前記のシートとエアセル若しくはエアセル同士はベルクロ手段により着脱可能としたことを特徴とする請求項１乃至４のいずれかに記載の褥瘡予防装置。
【発明の詳細な説明】
【技術分野】
【０００１】
本発明は、例えば寝たきり者等の自立支援や褥瘡を予防するための簡易な自立支援及び褥瘡予防装置に関し、エアセルを膨張・収縮させることにより自立支援と褥瘡予防を図った装置の改善に関する。
【背景技術】
【０００２】
長期間病床等にある場合、特に圧迫を受けやすい仙骨部、頭部、踵部、ひじ部等は褥瘡が発生しやすく、このような褥瘡予防のため、従来から例えば体圧分散効果の高いマットレスやベッド等が提案されている。
【０００３】
このような褥瘡予防装置に関連する先行技術文献としては次のようなものがある。
【０００４】
【特許文献１】特開平７−１８４７４７７号公報
【特許文献２】特開２０００−２１７８７０号公報
【０００５】
図４は特許文献１に記載されている「エアーベッド」である。このベッドは複数の筒状エアセルを用いた褥瘡予防用エアマットとこれを使用する就寝者との関係を示す側面図である。１０はエアマット上に横臥する就寝者、２０ａ１，２０ａ２・・・２０ａｎは褥瘡予防機能を有するエアマットのＡ系統エアセル群、２０ｂ１，２０ｂ２・・・２０ｂｎは同様に褥瘡予防機能を有するエアマットのＢ系統エアセル群である。
【０００６】
Ａ系統とＢ系統のエアセルは、交互にエアマットの長手方向と直交方向に互いに隣接して配置されている。Ａ系統とＢ系統のエアセル群は、Ａ系統空気配管１３ａ及びＢ系統空気配管１３ｂを介してポンプ１４により所定の周期で交互に加圧・減圧される。１５はポンプの操作を指令する制御部である。
【０００７】
図示の状態はＡ系統エアセル群が加圧されて膨張状態であり、Ｂ系統エアセル群が減圧されて収縮状態となっている。このように隣接するエアセルが交互に膨張・収縮を繰り返すことで、就寝者の背部に圧力のかかる部位を交互に変えることで褥瘡を防止している。
【０００８】
図５は特許文献２に記載されている「体位変換用空気袋体」である。なお、空気配管１３に空気を送り込むためのポンプおよぴポンプの制御装置については省略してある。
図５において、エアセル２０ｄに空気が送られて膨張され、エアセル２０ｃを交互に膨張・収縮させることによりエアセル２０ｄが交互に傾いて就寝者の体位を変位させるようになっている。
【発明の開示】
【発明が解決しようとする課題】
【０００９】
ところで上述のような装置においては膨張しているエアセルに体が接触しいてる部分に体圧が集中する。就寝者は通常のエアマット使用状態ではその上に毛布やマットレスなどを敷くが、これらの仲介要素があってもエアセルの形状変化に忠実に従うので、体圧分散効果が期待できない。そのため、特に体圧分散を要する部分のエアセルをさらに細分化し、複雑な加減圧操作をすることも可能であるが、装置が複雑化しコスト面で実用が難しい。
【００１０】
また、従来の装置においては、図４に示す装置では就寝者が横たわるエアマットの全面に渡ってエアセルが配置されており、また、図５に示す装置ではエアセル全体に空気を送る必要があるため、エアセルにから空気を送り込むためには時間がかかり、ある程度速く動かそうとすると大きなポンプを必要としコスト高になるという問題があった。
【００１１】
また、従来の装置においては一つの装置に対して一つの機能しかなく、背部の褥瘡改善と共に例えば体位を左右に変位させたり、背上げ、脚上げ、立上がり動作等の自立支援も含めた多機能な動きを持たせたり、さらに必要に応じてこれらを組合わせて使用するという技術思想はなかった。
【００１２】
従って本発明が解決しようとする課題は、就寝時には褥瘡防止機能と体位変換機能により床ずれを防止し、目覚めているときには背上げ、脚上げ、立上がり動作等により快適な姿勢を取れるようにして病気・事故・加齢等による機能障害者に対して自立支援も含めた多機能な褥瘡予防及び自立支援装置を実現することにある。
【課題を解決するための手段】
【００１３】
このような課題を達成するために、本発明のうち請求項１記載の発明は、
剛性を有する複数の細棒（１ａ）が所定の間隔で固定され、就寝者が横臥したときに十分に支えることが可能な簾状に形成された簾シート（１）と、空気を注入すると膨らむ２つのエアセル（３）と、前記２つのエアセルに空気を注入するポンプ制御部（１５）からなり、
前記２つのエアセルを前記簾シートの裏面の長手方向の両端付近に平行に、かつ、就寝者に対する脚上げおよび背上げを行うための領域に配置して空気を注入して膨らませ、前記平行に配置された２つのエアセルの前記領域が左右同じ高さに持ち上がるように構成され、
前記２つのエアセルの幅はエアセルの容積を少なくするために前記２つのエアセル間に空間を設け、それぞれ前記簾シートの幅の数分の１程度に形成したことを特徴とする。
【００１４】
請求項２記載の発明は、褥瘡予防装置において、
剛性を有する複数の細棒（１ａ）が所定の間隔で固定され、就寝者が横臥したときに十分に支えることが可能な簾状に形成された簾シート（１）と、空気を注入すると膨らむ２つのエアセル（３）と、前記２つのエアセルに空気を注入するポンプ制御部（１５）からなり、
前記２つのエアセルを前記簾シートの裏面の長手方向の両端付近に平行に、かつ、就寝者を椅子に座った姿勢とするための領域に配置して空気を注入して膨らませ、前記平行に配置された２つのエアセルの前記領域が左右同じ高さに持ち上がるように構成され、
前記２つのエアセルの幅はエアセルの容積を少なくするために前記２つのエアセル間に空間を設け、それぞれ前記簾シートの幅の数分の１程度に形成したことを特徴とする。
【００１５】
請求項３記載の発明は、褥瘡予防装置において、
剛性を有する複数の細棒（１ａ）が所定の間隔で固定され、就寝者が横臥したときに十分に支えることが可能な簾状に形成された簾シート（１）と、長さが前記簾シートの長手方向の長さとほぼ同じに形成され、空気を注入すると長手方向の断面が多数の半円状となるように膨らむ２系列のエアセル（３）と、
前記２系列のエアセルに空気を注入するポンプ制御部（１５）からなり、
前記２系列のエアセルを前記簾シートの裏面の長手方向の両端付近に平行にかつ、エアセルの幅分ずらして配置し、隣合う前記複数の細棒が前記半円状の円弧に沿って左右同じ高さに交互に上下するように空気を注入して膨らませ、前記エアセルの幅はエアセルの容積を少なくするために２つのエアセル間に空間を設け、それぞれ前記簾シートの幅の数分の１程度に形成したことを特徴とする褥瘡予防装置。
【００１８】
請求項４記載の発明は、請求項１乃至３のいずれかに記載の褥瘡予防装置において、
前記簾シート上にクッション材を配置したことを特徴とする。
【００１９】
請求項５記載の発明は、請求項１乃至４のいずれかに記載の褥瘡予防装置において、
前記のシートとエアセル若しくはエアセル同士はベルクロ手段により着脱可能としたことを特徴とする。
【発明の効果】
【００２０】
請求項１および２に記載の発明によれば、剛性を有する複数の細棒（１ａ）が所定の間隔で固定され、就寝者が横臥したときに十分に支えることが可能な簾状に形成された簾シート（１）と、空気を注入すると膨らむ２つのエアセル（３）と、前記２つのエアセルに空気を注入するポンプ制御部（１５）からなり、
前記２つのエアセルを前記簾シートの裏面の長手方向の両端付近に平行に、かつ、就寝者を椅子に座った姿勢とするための領域に配置して空気を注入して膨らませ、前記平行に配置された２つのエアセルの前記領域が左右同じ高さに持ち上がるように構成され、
前記２つのエアセルの幅はエアセルの容積を少なくするために前記２つのエアセル間に空間を設け、それぞれ前記簾シートの幅の数分の１程度に形成したので、背上げ、脚上げ、立上がり動作等の自立支援も含めた多機能な動きが可能となり、エアセルの容積も少なくて済むので価格の安い褥瘡予防装置を提供することが可能となる。
【００２１】
請求項３に記載の発明によれば、剛性を有する複数の細棒（１ａ）が所定の間隔で固定され、就寝者が横臥したときに十分に支えることが可能な簾状に形成された簾シート（１）と、長さが前記簾シートの長手方向の長さとほぼ同じに形成され、空気を注入すると長手方向の断面が多数の半円状となるように膨らむ２系列のエアセル（３）と、
前記２系列のエアセルに空気を注入するポンプ制御部（１５）からなり、
前記２系列のエアセルを前記簾シートの裏面の長手方向の両端付近に平行にかつ、エアセルの幅分ずらして配置し、隣合う前記複数の細棒が前記半円状の円弧に沿って左右同じ高さに交互に上下するように空気を注入して膨らませ、前記エアセルの幅はエアセルの容積を少なくするために２つのエアセル間に空間を設け、それぞれ前記簾シートの幅の数分の１程度に形成したので、少量の空気で細棒群を膨張させることができ応答の速い褥瘡予防装置が実現可能となる。
【００２３】
請求項２に記載の発明によれば、簾シート上にクッション材を配置したので、快適な就寝が可能となる。
【００２４】
請求項３に記載の発明によれば、シートとエアセル若しくはエアセル同士はベルクロ手段により着脱可能としたので、機能の追加や除去・梱包・運搬が簡単となる。
【発明を実施するための最良の形態】
【００２５】
以下本発明を図面を用いて詳細に説明する。図１（ａ）は本発明に係る自立支援装置及び褥瘡予防装置に使用する簾シートの平面図である。図１（ｂ〜ｅ）は本発明に係る自立支援装置及び褥瘡予防装置の正面図及び側面図である。
【００２６】
図（ａ）において、１は簾シートであり、細棒１ａとシート１ｂにより構成されている。ここで、細棒１ａは金属、プラスチック、木、竹等からなる所定の剛性を有するものであり、断面は円、矩形、長方形、半円、パイプ等に形成されている。１ｂは布、ビニール等からなるシートで、このシート上に複数の細棒１ａが接着若しくは糸又は紐等により所定の間隔で固定されている。従ってこの簾シートは矢印ａで示す長手方向には折り曲げ、巻き取りが可能であるが矢印ｂで示す方向には折り曲げ、巻き取りはできない。
【００２７】
図１（ｂ）は簾シートの両端を左右同じ高さにかつ、部分的に持ち上げて、この簾シート上に横臥する就寝者の背上げ・脚上げを実現する構成を示すものである。なお、就寝者は向かって右側を頭にして横臥しているものとする。
この場合、エアセル３は簾シート１の両端付近であって、かつ細棒に直角する方向に部分的に配置する。図示の例では（イ）で示す領域と（ロ）で示す領域を左右同じ高さに持ち上げる構成となっており、就寝者は両端が支持された簾シートで支えられた状態となる（細棒は就寝者が横臥したときに十分に支えることが可能な剛性を有する材質を採用する）。なお、この例ではエアセル３は一体で膨らむ形状となっているが、２つ以上に分割して同様の形状に膨らむようにしても良い。
【００２８】
図１（ｃ）は領域（ハ）で示す範囲を左右同じ高さに部分的に持ち上げるようにしたもので、就寝者は向かって右側を頭にして横臥しているものとする。この場合、就寝者は横臥した状態で膝を曲げ、エアセルに空気を注入して膨張させると椅子に座った状態になり、簾シート上で立上ることが可能となり自立支援装置として機能する。この場合もエアセル３は一体で膨らむ形状となっているが、２つ以上に分割して同様の形状に膨らむようにしても良い。
【００２９】
図１（ｄ）は簾シート１を部分的に交互に持ち上げて褥瘡予防を図ったものである。基本的な動きは図４に示す従来例と同様であるが、この実施例では２系列のエアセル３は膨張した状態の断面が多数の半円（蒲鉾状）となるように形成されている。また、エアセルの幅は細棒の長さの数分の１程度とされ、簾シート１の両端付近にＡ系列のエアセルとＢ系列のエアセルが幅分ずらした状態で固定されている。そしてＡ系列のエアセルとＢ系列のエアセルを同時に膨らませて側面から見ると、エアセルの多数の半円が細棒に直交する方向に隙間なく並べた状態となるように配置されている。
【００３０】
なおエアセルが膨らんだ状態ではエアセルの円弧に沿って複数本の細棒群１ｇが両端で支持されて同じ高さに持ち上げられることになる。
そして、Ａ系列のエアセルとＢ系列のエアセルを交互に膨らませると、エアセル上の細棒群１ｇが交互に上下して就寝者に当接する位置が変わるので褥瘡防止効果が期待できる。
【００３１】
図１（ｅ）は就寝者をローリングさせることにより褥瘡防止を図ったものである。この例では簾シート１の長手方向に沿う両端付近に２つの細長いエアセル３を配置する。そしてこのエアセルに空気を注入して交互に膨らませれば簾シートは一方の側を支点として左右に傾くことになる。
【００３２】
図２は上述の自立支援及び褥瘡防止装置の空気系統図を示すものである。ポンプ１４はポンプ制御部の指令に基づき各エアセルに空気を注入する。なお、ポンプ制御部は端末として就寝者が手元でリモコン又は外部接点などにより操作することが可能である。また、図１に示す各動作は一つ又は複数の装置を必要に応じて組み合わせて用いることが可能である。
【００３３】
その場合、エアセルと簾シートはベルクロ（マジックテープ（登録商標））を用いれば簡単に着脱可能であり、組立て・分解が容易な構造とすることができる。
図３は簾シートの上にクッション材２を形成したもので、このクッション材の材質を適当に選択することにより快適な就寝が可能となる。
【００３４】
本発明の以上の説明は、説明および例示を目的として特定の好適な実施例を示したに過ぎない。したがって本発明はその本質から逸脱せずに多くの変更、変形をなし得ることは当業者に明らかである。例えは、図１（ａ）における簾シートはシート１ｂ上に細棒を接着又は紐などにより固定するとしたが、細棒のみを用いて紐で連結しても良い。また、膨らませたときのエアセルの形状や配置場所は図１（ｂ），（ｃ）に示す位置に限ることなく任意に配置可能である。特許請求の範囲の欄の記載により定義される本発明の範囲は、その範囲内の変更、変形を包含するものとする。
【図面の簡単な説明】
【００３５】
【図１】本発明に係る自立支援及び褥瘡防止装置の一実施例を示す構成図である。
【図２】本発明に係る自立支援及び褥瘡防止装置の空気系統図である。
【図３】本発明で使用する簾シートにクッション材を被せた状態を示す断面構成図である
【図４】従来例を示す説明図である。
【図５】従来例を示す説明図である。
【符号の説明】
【００３６】
１    簾シート
１ａ  細棒
１ｇ  細棒群
１ｂ  シート
２    クッション材
３    エアセル
１０  就寝者
１４  ポンプ
１５  ポンプ制御部
【図１】
0004314474.tif 000002
【図２】
0004314474.tif 000003
【図３】
0004314474.tif 000004
【図４】
0004314474.tif 000005
【図５】
0004314474.tif 000006